(57)【特許請求の範囲】
【請求項１】
モニタテレビと監視カメラと、モニタテレビの画面に侵入検知区域を表示する複数のセンサ点を設定するマウスと、を備え、モニタテレビ画面上においてセンサ点に接触する侵入物を検出できるテレビ画面による監視センサにおいて、
前記監視センサの誤報をなくし精度を高める設定機能としてモニタテレビの画面に、
複数のマスクエリアの切り換え設定を行うエリアセレクト画面と、
センサの感度を調節するセンシティビティ機能と、センサ点の検知する個数の最少値を設定するミニアムドット機能と、センサ点の検知する個数の最大値を設定するマキシムドット機能と、アラーム発報の保持時間を設定するアラームホールド機能と、リターン機能との複数の機能の切り換え設定を行うドットコントロール画面と、
移動物の移動する早さを設定するセンシングスピード機能と、センサ点の移動個数を設定するセンシングシフト機能と、移動物がセンサ点に触れたアラームを保持し設定したアラーム回数に到達したときに確定アラームとして出力するオートセンスコントロール機能と、センサ点をモニタテレビ画面上に設定しそのセンサ点間のＸ軸の移動物に対してのみアラームの対象とするＸディスタンス機能と、センサ点をモニタテレビ画面上に設定しそのセンサ点間のＹ軸の移動物に対してのみアラームの対象とするＹディスタンス機能と、リターン機能との複数の機能の切り換え設定を行うセンスコントロール画面と、
モニタテレビ画面にセンサ点をセットするエリアセット機能と、モニタテレビ画面に全てのセンサ点をセットするオールセット機能と、モニタテレビ画面の全てのセンサ点を消去するオールクリア機能と、一週間のうち監視センサの動作する曜日と動作させない曜日の設定及び動作させる時間帯を設定するタイムスケジュール機能と、リターン機能との複数の機能を切り替え設定するエリアコントロール画面と、
文字情報を入力するチャジェネレート画面と、モニタテレビ画面に現在の年、月、日、時、分を入力するクロックセット画面との切り換えを行うエフェクト画面と、
前記エリアセレクト画面と、ドットコントロール画面と、センスコントロール画面と、エリアコントロール画面と、エフェクト画面との複数の画面を切り換えるセットアップメニュ画面と、
を設け、
該各画面は各画面における機能を選択するプラスキーボタンとマイナスキーボタンとセットアップメニュ画面に戻すメニュキーボタンで移動し、設定機能を該キーボタンで確定するように構成されていることを特徴とするテレビ画面による監視センサ。
【発明の詳細な説明】
【技術分野】
【０００１】
本発明は、監視カメラシステムにおいて、監視エリア内に侵入物が入ると監視カメラの映像信号を解析して、侵入物を自動検出する監視センサの技術に関する。
【背景技術】
【０００２】
従来、監視カメラシステムと言われるものは、監視カメラとモニタテレビによって構成され、監視人がそのモニタ画面を目視して侵入物を見分けていた。しかしこのシステムはモニタ画面を目視する監視人が常に必要となるため非省力的であり、かつ監視人の見損ないや見誤りなどがあった。そのため監視人は常時モニタ画面を目視していなくても、侵入物が監視エリア内に入ると自動で検知できるシステムが実用に供されている。
【特許文献１】特開平３−２０９９９３号公報
【特許文献１】特開平４−６８９９０号公報
【特許文献１】特開平６−３５１０２１号公報
【特許文献１】特開平７−３８８８２号公報
【特許文献２】特開平９−２２９９２４号公報
【特許文献３】特開２００２−１７１５１３号公報
【特許文献３】特開２００４−７２３２８号公報
【発明の開示】
【発明が解決しようとする課題】
【０００３】
しかし、従来のコンピュータ（パーソナルコンピュータ含む）を使用しない監視センサは、侵入検知区域を特定する複数のセンサ点は一度設定すると設定変更が面倒であった、例えば１日のうち昼間は人や車が出入りするため侵入検知区域のセンサを解除し、夜間は逆に人や車が出入りしないので侵入検知区域のセンサを設定しなければならなかった。夜間以外でも土曜日と日曜祭日は休業のため昼間も侵入検知区域のセンサを設定しなければならなかった。また監視エリアが屋外の場合は一日のうち昼夜で外光が変わるため外光に応じた感度設定をする必要があったが、面倒なため、それをせずに感度が固定のままであった、そのため設定感度が高いと誤報が生じ、設定感度が弱いと検知しないなどの問題が生じていた。また、屋外監視センサは車のヘットライトやネオンや木の葉や鳥や犬や猫などの小動物や雪や雨や雷などの自然環境の変化によっても目的外検知すなわち誤報が生じ、監視センサの精度が問題になっていた。
【課題を解決するための手段】
【０００４】
本発明は、上記目的を達成するために、請求項１記載の発明は、モニタテレビと監視カメラと、モニタテレビの画面に侵入検知区域を表示する複数のセンサ点を設定するマウスと、を備え、モニタテレビ画面上においてセンサ点に接触する侵入物を検出できるテレビ画面による監視センサにおいて、
前記監視センサの誤報をなくし精度を高める設定機能としてモニタテレビの画面に、
複数のマスクエリアの切り換え設定を行うエリアセレクト画面と、
センサの感度を調節するセンシティビティ機能と、センサ点の検知する個数の最少値を設定するミニアムドット機能と、センサ点の検知する個数の最大値を設定するマキシムドット機能と、アラーム発報の保持時間を設定するアラームホールド機能と、リターン機能との複数の機能の切り換え設定を行うドットコントロール画面と、
移動物の移動する早さを設定するセンシングスピード機能と、センサ点の移動個数を設定するセンシングシフト機能と、移動物がセンサ点に触れたアラームを保持し設定したアラーム回数に到達したときに確定アラームとして出力するオートセンスコントロール機能と、センサ点をモニタテレビ画面上に設定しそのセンサ点間のＸ軸の移動物に対してのみアラームの対象とするＸディスタンス機能と、センサ点をモニタテレビ画面上に設定しそのセンサ点間のＹ軸の移動物に対してのみアラームの対象とするＹディスタンス機能と、リターン機能との複数の機能の切り換え設定を行うセンスコントロール画面と、
モニタテレビ画面にセンサ点をセットするエリアセット機能と、モニタテレビ画面に全てのセンサ点をセットするオールセット機能と、モニタテレビ画面の全てのセンサ点を消去するオールクリア機能と、一週間のうち監視センサの動作する曜日と動作させない曜日の設定及び動作させる時間帯を設定するタイムスケジュール機能と、リターン機能との複数の機能を切り替え設定するエリアコントロール画面と、
文字情報を入力するチャジェネレート画面と、モニタテレビ画面に現在の年、月、日、時、分を入力するクロックセット画面との切り換えを行うエフェクト画面と、
前記エリアセレクト画面と、ドットコントロール画面と、センスコントロール画面と、エリアコントロール画面と、エフェクト画面との複数の画面を切り換えるセットアップメニュ画面と、
を設け、
該各画面は各画面における機能を選択するプラスキーボタンとマイナスキーボタンとセットアップメニュ画面に戻すメニュキーボタンで移動し、設定機能を該キーボタンで確定するように構成されていることを特徴とする。
【発明の効果】
【０００５】
昼間は侵入検知区域の監視センサを自動解除し、夜間は侵入検知区域の監視センサを自動設定し、土曜日と日曜祭日は昼夜ともに侵入検知区域の監視センサを自動設定する。また屋外の監視エリアにおいて昼夜で外光が変化しても外光に応じた感度設定にすることで誤報をなくし、車のヘットライトやネオンや木の葉や鳥や犬や猫などの小動物や雪や雨や雷などの自然環境の変化によっても誤報が出ないことで、監視センサの精度の向上をコンピュータを使用せずに図ることで安価に誰でもが容易に使用することができる。
【発明を実施するための最良の形態】
【０００６】
以下、本発明を実施するための最良の形態について、添付した図面を参照しながら詳細に説明する。以下の説明においてモニタテレビ２の画面に表示される実際の文字はローマ字であるが本説明は一部を除いて日本語のカタカナ文字で説明する。図１は監視センサシステムの基本構成図である。図２はテレビモニタ画面に表示する設定機能画面の構成図である。図３は監視センサの回路図である。
【０００７】
図１と図２において監視センサ３の正面に具備するメニュキーボタン４を押すとモニタテレビ２の画面にエリアセレクト画面５が表示される、エリアセレクト画面５にはマスクエリア１とマスクエリア２とマスクエリア３の文字が表示される。
【０００８】
該マスクエリア１を選択してメニュキーボタン４を押すとセットアップメニュ画面６がモニタテレビ２の画面に表示される。マスクエリア１とマスクエリア２とマスクエリア３のそれぞれの選択は監視センサ３の正面に具備するメニュキーボタン４の横に具備するプラスキーボタン４ｂとマイナスキーボタン４ｃを押すことでマスクエリア１とマスクエリア２とマスクエリア３を移動する。
【０００９】
以下の説明においてもプラスキーボタン４ｂとマイナスキーボタン４ｃによって表示文字を移動し選択できる。プラスキーボタン４ｂは列記された文字の上部方向に移動し、マイナスキーボタン４ｃは列記された文字の下部方向に移動する、選択した文字は点滅するため文字を特定できる。
【００１０】
セットアップメニュ画面６にはドットコントロールとセンスコントロールとエリアコントロールとエフェクトとリターンの５つの文字が表示される。それぞれの文字を選択し機能を設定することができる。
【００１１】
まず該ドットコントロールを選択してメニュキーボタン４を押すとドットコントロール画面７がモニタテレビ２の画面に表示される、ドットコントロール画面７にはセンシティビティとミニアムドットとマキシムドットとアラームホールドとリターンの５つの文字が表示される。
【００１２】
センシティビティの機能はセンサの感度を調整する、センシティビティをプラスキーボタン４ｂとマイナスキーボタン４ｃによって選択しメニュキーボタン４を押すと０１から０８までの数字の一つが表示し、これもプラスキーボタン４ｂとマイナスキーボタン４ｃを押すことで０１から０８までの中で一つの数字を選択し確定できる。
【００１３】
センシティビティ機能のセンサの感度の設定値は０１から０８までの８段階で、０１は感度が最も高く０８は感度が最も低く設定されている、ここで言う感度とは侵入物の濃度と背景濃度との濃度差で検知するレベルをさす、侵入物濃度と背景濃度が近い濃度で検知するには感度が高い設定値０１にしなければならない、しかし感度を高くすれば誤報が出るのは他のあらゆるセンサの宿命である、例えば夜間は背景も暗く侵入物も暗いため感度を高くし、昼間は背景と侵入物の濃度は明確に違うので感度は低くても検知できる、夜間の高感度の設定で昼間使用すると微小な移動物や外光の変化でも検知し、これが誤報の大きな要因となっている、ここで言う誤報とは目的外検知をいう。
【００１４】
この誤報の要因を本発明においては夜間の感度設定と昼間の感度設定をエリアセレクト画面５のマスクエリア１からマスクエリア３までの自動切り替えで解決した、自動切り替えの詳しい説明は下記に説明する。
【００１５】
次にミニアムドットはセンサ点の検知する個数を設定するものである、設定値は０１から５０まで設定できる、選択は上記と同じようにプラスキーボタン４ｂとマイナスキーボタン４ｃとメニュキーボタン４によって数字の選択をし確定する、例えば０１に設定するとセンサ点の１点以上同時に触れる侵入物に対して検知し、１０に設定すれば１０点以上同時に触れる侵入物に対して検知する、例えば小動物の犬や猫と大人の人間の大きさは違うため人間だけを検知して小動物では検知しないようにする場合はこの設定で可能となる。従来、侵入者だけを検知したいのに犬や猫でも検知したため、目的外検知で誤報になっていた。
【００１６】
次にマキシムドットは、設定値は０３から９９まで設定できる、これも数字の選択と確定は上記に説明したプラスキーボタン４ｂとマイナスキーボタン４ｃとメニュキーボタン４によって同様に行う、例えば２０に設定した時は、センサ点が２０点以内の移動物のみ感知することになる、例えば雷やヘットライトや監視カメラの前面を飛来した鳥など、モニタテレビ２の全面に移動するような大きな侵入物で誤報が出ない対策に最適な機能である。前記ミニアムドットとこのマキシムドットの二つの機能設定をすることで、移動物の大きさを特定し、より誤報をなくし精度を高めることができる。
【００１７】
次にアラームホールドは設定値０３から５０で、これも数字の選択と確定は上記に説明したプラスキーボタン４ｂとマイナスキーボタン４ｃとメニュキーボタン４によって同様に行う、この機能はセンサが検知するとアラームを発報するが、そのアラーム発報の保持時間を設定する、例えば１０に設定すると１０秒間アラーム発報が保持され、１０秒過ぎると初期の警戒モードに変わる。最後にリターンを選択してメニュキー４を押すとセットアップメニュ画面６に戻る。
【００１８】
セットアップメニュ画面６のセンスコントロールを選択しメニュキー４を押すとセンスコントロール画面８がモニタテレビ２の画面に表示される、文字の選択は今までの説明と同様にプラスキーボタン４ｂとマイナスキーボタン４ｃとメニュキーボタン４によって同様に行う、センスコントロール画面８にはセンシングスピードとセンシングシフトとオートセンスコントロールとＸディスタンスとＹディスタンスとリターンの６つの文字が表示される。
【００１９】
センシングスピードの機能は移動物の移動する速さを設定する、センシングスピードの文字の選択は上記までの説明と同様にプラスキーボタン４ｂとマイナスキーボタン４ｃとメニュキーボタン４によって行う、速さの設定値は０１から０８までの８段階でできる、０１は移動物の速い動きを感知し、遅い動きの移動体は検知しない、０８は移動物の遅い動きのものを検知し、速い動きの移動物は感知しない、雷、雪、雨、鳥、木の葉などの移動物の誤報対策に有効である。リターンを選択してメニュキー４を押すとセットアップメニュ画面６に戻る。
【００２０】
センシングシフトの機能はセンサ点の移動個数を設定する、設定値は０１から０５までの５段階でできる、０１は設定解除で、例えば０３に設定したときは、センサ点間の上下または左右のセンサ点の３個に連続して移動体が移動したときにアラームとする、この機能によって例えば一定箇所で揺れる草木の葉やネオン灯やランプの点滅や水溜りの反射などの誤報対策に有効である。リターンを選択してメニュキー４を押すとセットアップメニュ画面６に戻る、文字の選択や設定値の数字の選択や確定は上記と同様にプラスキーボタン４ｂとマイナスキーボタン４ｃとメニュキーボタン４によって行う。
【００２１】
オートセンスコントロールの機能は移動物がセンサ点に触れたアラームを保持し設定したアラーム回数に到達したときに確定アラームとして出力する、設定値は０１から０５までの５段階でできる、０１は設定解除、例えば０２設定したときは、1回目のセンサ検知のアラームは保持されアラームは出力されず、続けて２回目のセンサ検知アラームで確定アラームとして出力する、この機能は雷の光や車のヘットライトや鳥の飛来や木の葉の落下等の一瞬の動きの移動物ではアラーム出力としないことで誤報対策に有効である、一定秒数次のアラームが来ないときは最初の保持されたアラームは解除される。リターンを選択してメニュキー４を押すとセットアップメニュ画面６に戻る、文字の選択や設定値の数字の選択確定などは上記と同様にプラスキーボタン４ｂとマイナスキーボタン４ｃとメニュキーボタン４によって行う。
【００２２】
Ｘディスタンスの機能はセンサ点をモニタテレビ画面上に設定し、そのセンサ点間のＸ軸（左右方向）の移動物に対してのみアラームの対象となる、設定値は００から２０までの２１段階でできる、００は設定解除、例えば０５に設定したときは、センサ点の設定位置の左側（または右側）から５個のセンサ点が検知したときにアラームの対象とする、これも雷の光や車のヘットライトや鳥の飛来や木の葉の落下等の誤報対策に有効である。リターンを選択してメニュキー４を押すとセットアップメニュ画面６に戻る、ここも文字の選択や設定値の数字の選択などは上記と同様にプラスキーボタン４ｂとマイナスキーボタン４ｃとメニュキーボタン４によって行う。
【００２３】
Ｙディスタンスの機能はセンサ点をモニタテレビ画面上に設定し、そのセンサ点間のＹ軸（上下方向）の移動物に対してのみアラームの対象となる、設定値は００から２０までの２１段階でできる、００は設定解除、例えば０５に設定したときは、センサ点の設定位置の上側（または下側）から５個のセンサ点が検知したときにアラームの対象とする、これも雷の光や車のヘットライトや鳥の飛来や木の葉の落下等の誤報対策に有効である。前記Ｘディスタンスと同じ目的であるが監視エリアの現場の状況に合わせて使い分けることができる、ＸディスタンスとＹディスタンスを組み合わせて設定することで、より有効的な誤報対策ができる。リターンを選択してメニュキー４を押すとセットアップメニュ画面６に戻る、ここも文字の選択や設定値の数字の選択や確定などは上記と同様にプラスキーボタン４ｂとマイナスキーボタン４ｃとメニュキーボタン４によって行う。
【００２４】
セットアップメニュ画面６のエリアコントロールを選択しメニュキー４を押すとエリアコントロール画面９がモニタテレビ２の画面に表示される、エリアコントロール画面９にはエリアセットとオールセットとオールクリアとタイムスケジュールとリターンの５つの文字が表示される、エリアセットの選択は、上記と同様にプラスキーボタン４ｂとマイナスキーボタン４ｃとメニュキーボタン４によって行う。
【００２５】
エリアセットをプラスキーボタン４ｂとマイナスキーボタン４ｃによって選択し、メニュキー４を押すとモニタテレビ２の画面の表示文字が全て消えて、センサ点１個の２倍程度の大きさの白い四角形の移動マーカがモニタテレビ２の画面上に表示される、そして監視センサ３に具備するマウス４ａを上下左右へ移動した方向に移動マーカが連動して移動する、マウス４ａの左スイッチを押した状態で移動すると移動マーカの位置にセンサ点が連続して表示される、次にマウス４ａの右スイッチを押した状態で移動マーカを動かすと移動マーカに触れたセンサ点は消去する、センサ点を一個単位で表示するときはマウス４ａの左スイッチを一回毎にクリックする、センサ点を一個単位で消去するときは、消去したいセンサ点の上に移動マーカを重合し、マウス４ａの右スイッチを一回クリックする。
【００２６】
オールセットをプラスキーボタン４ｂとマイナスキーボタン４ｃによって選択し、メニュキー４を押すとセンサ点の総数がモニタテレビ２の画面全体に表示される、センサ点の総数は縦５６点横６４点の総数３５８４点表示される、総数３５８４点のセンサ点の１点１点が検知センサであり、これらの総数のセンサ点の中から該マウス４ａによってモニタテレビ２の画面の特定の侵入検知区域に表示する。
【００２７】
オールクリアをプラスキーボタン４ｂとマイナスキーボタン４ｃによって選択し、メニュキー４を押すとモニタテレビ２の画面上に表示されたセンサ点が一挙に全部消去される、マウス４ａの右スィツチを使って消去する方法は上記で説明したが、オールクリアではセンサ点が一挙に全部消去することができる。
【００２８】
タイムスケジュールをプラスキーボタン４ｂとマイナスキーボタン４ｃによって選択し、メニュキー４を押すとタイムスケジュール画面１１がモニタテレビ２の画面上に表示される、この画面は実際の表示画面と同じローマ字表示で、ＳＵＮ・・・・ＳＡＴは、ＳＵＮはＳｕｎｄａｙで日曜日を表し、ＳＡＴはＳａｔｕｒｄａｙの土曜日を表す、ＷＥＥＫ＿ＳＥＴ・＊＊＊＊＊・は、１週間のうちセンサの動作する曜日と動作させない曜日を設定する、「＊」このマークは動作する曜日で、「・」このマークは動作しない曜日を表す、「・＊＊＊＊＊・」は日曜日と土曜日が動作しない曜日で、月曜から金曜まではセンサが動作する曜日である、曜日の移動は他の設定でも説明した監視センサ３の正面に具備するプラスキーボタン４ｂとマイナスキーボタン４ｃとメニュキーボタン４で選択する、「・」「＊」の設定はプラスとマイナスのキーボタンで選択し、メニュキー４を押すと「・」「＊」が交互に変化する。
【００２９】
ＳＴＡＲＲＴ＿ＴＩＭＥ・・・０９：３０は、自動的に午前９時３０分から動作を開始し、ＥＮＤ＿ＴＩＭＥ・・・・・・１９：３０は、自動的に午後１９時３０分に動作を終了する、ＡＵＴＯＣＨＡＮＧＥ・・・ＯＮは、前記の開始と停止を自動で動作なせる場合はＯＮで動作させない場合はＯＦＦにする、時間の設定も監視センサ３の正面に具備するメニュキーボタン４の横に具備するプラスキーボタン４ｂとマイナスキーボタン４ｃを押すことで時間が設定でき、設定時間を確定するときはメニュキー４を押す、月火水木金の曜日はセンサの動作開始時間が午前９時３０分で終了時間が午後７時３０分に設定したことを表示している、時間の設定と確定はプラスキーボタン４ｂとマイナスキーボタン４ｃとメニュキーボタン４で行う。ＲＥＴＵＲＮを選択しメニュキー４を押すとエリアコントロール画面９に戻る。エリアコントロール画面９のリターンを選択してメニュキー４を押すとセットアップメニュ画面６に戻る。
【００３０】
セットアップメニュ画面６のエフェクトをプラスキーボタン４ｂとマイナスキーボタン４ｃで選択し、メニュキー４を押すとエフェクト画面１０がモニタテレビ２の画面に表示される、エフェクト画面１０にはチャジェネレートとクロックセットとキャラディスプレイとイニシャリーズとリターンの５つの文字が表示される。
【００３１】
チャジェネレートをプラスキーボタン４ｂとマイナスキーボタン４ｃで選択し、メニュキー４を押すと図４が表示される、この機能でモニタテレビ２の画面に常時情報を表示できる、例えば監視エリアの名称やカメラ番号などの情報を表示させるために文字を入力する。文字情報を入力するためにはプラスキーボタン４ｂとマイナスキーボタン４ｃで文字を選択しメニュキー４で文字を確定する。
【００３２】
クロックセットをプラスキーボタン４ｂとマイナスキーボタン４ｃで選択し、メニュキー４を押すとモニタテレビ画面上に年、月、日、時、分、が表示し、プラスキーボタン４ｂとマイナスキーボタン４ｃで現在の年、月、日、時、分、をアラビア数字で設定し、メニュキー４で確定する。年、月、日、時、分、を入力が確定すると、モニタテレビ２の画面に現在の年、月、日、時、分が情報として表示される、例えばセンサが検知した日時が録画装置を接続すれば記録される。
【００３３】
キャラディスプレイをプラスキーボタン４ｂとマイナスキーボタン４ｃで選択し、メニュキー４を押すとＯＮまたはＯＦＦの選択があり、ＯＮを選択するとチャジェネレータの情報およびクロックセットの情報をモニタテレビ２の画面に表示ができ、ＯＦＦを選択するとどちらの情報も表示しない。リターンを選択してニュキー４を押すとセットアップメニュ画面６に戻る。セットアップメニュ画面６のリターンを選択してメニュキー４を押すとエリアセレクト画面５に戻る。
【００３４】
上記まででマスクエリア１に関して一連の設定画面や機能を詳しく説明をしたが、マスクエリア２においてもマスクエリア３においてもマスクエリア１と同様の設定画面を表示し、機能設定ができる、既に説明したエリアコントロール画面９のタイムスケジュール画面１１の各機能によってマスクエリア１とマスクエリア２とマスクエリア３を自動的に切り換え、曜日と時間管理をすることで、昼間は侵入検知区域を自動解除し、夜間は侵入検知区域を自動設定し、ウイークデーと土曜日と日曜祭日は昼夜ともに侵入検知区域を自動的に解除する等の設定が可能となる。
【００３５】
また屋外の監視エリアにおいて昼夜で外光が変わっても外光に応じた感度設定にすることで誤報をなくし精度を高め、車のヘットライトやネオンや木の葉や鳥や犬や猫などの小動物や雪や雨や雷などの自然環境変化によって誤報が生じないことで、監視センサの精度の向上を図ることができる。
【００３６】
図３において監視センサの回路を説明する、テレビカメラ１で撮像されたアナログ映像信号は、映像入力回路１１１と映像出力回路１１０にそれぞれ送られる。次に、映像入力回路１１１に送られてきたテレビカメラ１の映像信号は、カラーバースト除去回路１００でカラーバーストを取り除かれた後、クランプ回路１０１に送られる。
【００３７】
カラーのモニタテレビの場合、検出に必要なのは輝度信号だけであるので、テレビカメラ１からの映像信号に含まれるカラー信号はここで事前に除去される。クランプ回路１０１では、映像の変化によってシンクレベルが変化しないように映像信号をペデスタルクランプして電圧を一定にした後、安定した輝度信号をアナログからデジタル変換回路１０２に送る。
【００３８】
アナログからデジタル変換回路１０２では、前記クランプ回路１０１から出力された輝度信号を３Ｖから５Ｖの範囲で８ビットのデジタル信号に変換し、プログランマブルロジックデバイス１０３と映像メモリＲＡＭ１０４に送る。一方、入力同期分離回路１０５では、クランプ回路１０１から出力された輝度信号を水平同期信号と垂直同期信号とフレーム信号に分離してプログランマブルロジックデバイス１０３に送る。
【００３９】
プログランマブルロジックデバイス１０３内では水平同期信号と垂直同期信号とフレーム信号によって１画面（１フィールド）の水平方向と垂直方向を任意のセンサ点に分割する。センサ点はモニタテレビ２の画面上に縦に５６個に横に６４個の合計で３５８４個を配置する。そしてプログランマブルロジックデバイス１０３はマウス４ａで侵入検知区域として設定されたセンサ点の位置をマウス制御用マイコン１０６を介して受け取り、この位置に対応するセンサ点を濃度の検知位置として設定する。次にセンサ点に入力されてくる輝度信号の濃度は任意のフレーム間隔でハードウェア比較演算処理され、その輝度レベルの変化がアラーム用ＲＡＭ１０７に記憶される。
【００４０】
ワンチップマイコン１０８はアラーム用ＲＡＭ１０７を常時チェックし、その輝度レベルの変化が予めプラスキーボタン４ｂとマイナスキーボタン４ｃで選択し、メニュキー４で確定された許容値範囲外であればプログランマブルロジックデバイス１０３を介してアラーム用リレー１１２で警報を出力するよう命令すると共に、アラーム用ＲＡＭ１０７のデータをマーク表示用ＲＡＭ１０９に転送し、映像出力回路を介してテレビカメラ１の映像がモニタテレビ２に映し出される。
【００４１】
プログランマブルロジックデバイス１０３によってエリアセレクト画面やセットアップメニュ画面やドットコントロール画面やセンスコントロール画面やエリアコントロール画面やエフェクト画面やタイムスケジュール画面やチャジェネレート画面やクロックセット画面の設定画面を設け、それぞれに特有の機能を持たせ、ワンチップマイコン１０８によってセンサ点の輝度レベル変化の許容値範囲を計算して、車のヘットライトやネオンや木の葉や鳥や犬や猫などの小動物や雪や雨や雷などの自然環境によって誤報が生じないように制御される。
【００４２】
本発明の発明者は過去に、特開平４−６８９９０号公報、特開平６−３５１０２１号公報、特開平７−３８８８２号公報、特開平９−２２９９２４号公報、特開２００２−１７１５１３号公報、特開２００４−７２３２８号公報等で基本的な発明や応用発明を行っているが、屋外の監視エリアにおいては誤報の解決に課題で残っていた。
【００４３】
本発明は従来課題であった昼夜で外光が変わっても外光に応じた感度設定にすることで誤報をなくし精度を高め、車のヘットライトやネオンや木の葉や鳥や犬や猫などの小動物や雪や雨や雷などの自然環境によっても誤報が出ないための解決として、本発明は新たにエリアセレクト画面５とセットアップメニュ画面６とドットコントロール画面７とセンスコントロール画面８とエリアコントロール画面９とエフェクト画面１０とタイムスケジュール画面とチャジェネレート画面とクロックセット画面の設定画面を設け、それぞれに特有の機能を持たせ、特にエリアコントロール画面９の曜日と時間管理機能によって、マスクエリア１とマスクエリア２とマスクエリア３を自動的に切り換える時間管理は新しい発明である。通常これらの時間管理を含めて画面表示設定機能は一般的にはコンピュータ（パーソナルコンピュータ含む）が使用されるが、本発明ではパーソナルコンピュータを使用せずに監視センサ３の内部の回路と監視センサ３の正面に具備するプラスキーボタン４ｂとマイナスキーボタン４ｃとメニュキーボタン４の三個のキーボタンだけで容易に設定できることは安価な製造コストで、専門的なコンピュータの知識がなくても誰でもが簡単に容易に操作できることをも含めて本発明の大きな特徴である。
【産業上の利用可能性】
【００４４】
監視カメラを多種多様な場所に設置し、離れた場所で防犯や防災の２４時間連続監視を行っている、しかし大半は監視者によるモニタテレビ画面の目視監視であり、見誤りや見損ないもある、そのためにビデオ録画を行っているが即応性では課題が残る、本発明や監視者の目の代替えとして産業上の利用が可能である。
【図面の簡単な説明】
【００４５】
【図１】本発明の実施の形態に係る監視センサシステムの基本構成図である。
【図２】本発明の実施の形態に係るテレビモニタ画面に表示する設定機能画面の構成図である。
【図３】本発明の実施の形態に係る監視センサの回路図である。
【符号の説明】
【００４６】
１ 監視カメラ
２ モニタテレビ
３ 監視センサ
４ メニュキー
４ａ マウス
４ｂ プラスキーボタン
４ｃ マイナスキーボタン
５ エリアセレクト画面
６ セットアップメニュ画面
７ ドットコントロール画面
８ センスコントロール画面
９ エリアコントロール画面
１０ エフェクト画面
１００ カラーバースト除去回路
１０１ クランプ回路
１０２ デジタル変換回路
１０３ プログランマブルロジックデバイス
１０４ 映像メモリＲＡＭ
１０５ 入力同期分離回路
１０６ マウス制御用マイコン
１０７ アラーム用ＲＡＭ
１０８ ワンチップマイコン
１０９ マーク表示用ＲＡＭ
１１０ 映像出力回路
１１１ 映像入力回路
１１２ アラーム用リレー
【図１】
0004865744.tif 000002
【図２】
0004865744.tif 000003
【図３】
0004865744.tif 000004